【手続補正書】
【提出日】平成18年9月8日(2006.9.8)
【手続補正１】
【補正対象書類名】明細書
【補正対象項目名】請求項１
【補正方法】変更
【補正の内容】
【請求項１】  正の誘電異方性を有する液晶媒体であって、１種または２種以上の下記式Ｉで表わされる化合物：    【化１】2000096059.tif 000001
式中、  Ｒ1 は、炭素原子１〜１２個を有するアルキルまたはアルコキシであるか、あるいは炭素原子２〜１２個を有するアルケニル、アルコキシアルキルまたはアルケニルオキシであり、そして  Ｌは、ＨまたはＦである；および１種または２種以上の下記式ＩＩで表わされる化合物：    【化２】2000096059.tif 000002
式中、  Ｒ21は、炭素原子１〜７個を有するアルキルまたはアルコキシであるか、あるいは炭素原子２〜７個を有するアルケニル、アルコキシアルキルまたはアルケニルオキシであるか、あるいはＦ、Ｃｌ、ＯＣＦ3 またはＯＣＦ2 Ｈであり、  Ｒ22は、Ｈであるか、あるいは炭素原子１〜１０個を有するアルキルであり、  Ｙ21およびＹ22は、それぞれ相互に独立して、ＨまたはＦであり、  ｎは、０〜５であり、そして  ｍは、０または１である；を含有することを特徴とする液晶媒体。【手続補正２】
【補正対象書類名】明細書
【補正対象項目名】請求項３
【補正方法】変更
【補正の内容】
【請求項３】  １種または２種以上の下記式ＩＩａで表わされる化合物を含有することを特徴とする、請求項１および２のいずれか一項に記載の液晶媒体：    【化４】2000096059.tif 000003
式中、  Ｒ21およびＲ22は、式ＩＩについて定義されているとおりであり、そして  ｎは、０である。【手続補正３】
【補正対象書類名】明細書
【補正対象項目名】請求項５
【補正方法】変更
【補正の内容】
【請求項５】  ２種または３種以上の式Ｉで表される化合物を含有することを特徴とする、請求項１〜４のいずれか１項に記載の液晶媒体。【手続補正４】
【補正対象書類名】明細書
【補正対象項目名】請求項８
【補正方法】変更
【補正の内容】
【請求項８】  式ＩＩＩ〜ＶＩＩで表される化合物からなる群から選択される１種または２種以上の化合物を含有することを特徴とする、請求項１〜７のいずれか一項に記載の液晶媒体。    【化７】2000096059.tif 000004
式中、  Ｒ31およびＲ32はそれぞれ相互に独立して、Ｈであるか、または炭素原子１〜１５個を有するアルキル基またはアルケニル基であり、この基は未置換であるか、あるいは置換基として１個のＣＮまたはＣＦ3を有するか、あるいは置換基として少なくとも１個のハロゲンを有しており、これらの基中に存在する１個または２個以上のＣＨ2基はまた相互に独立して、酸素原子が相互に直接に結合しないものとして、−Ｏ−、−Ｓ−、    【化８】2000096059.tif 000005
−ＣＯ−、−ＣＯ−Ｏ−、−Ｏ−ＣＯ−または−Ｏ−ＣＯ−Ｏ−により置き換えられていてもよく、  Ａ31およびＡ32はそれぞれ相互に独立して、  ａ）トランス−１，４−シクロヘキシレン基であり、この基中に存在する１個のＣＨ2 基または隣接していない２個以上のＣＨ2 基はまた、−Ｏ−および／または−Ｓ−により置き換えられていてもよく、  ｂ）１，４−フェニレン基であり、この基中に存在する１個または２個のＣＨ基はまた、Ｎにより置き換えられていてもよく、  ｃ）１，４−シクロヘキセニレン、１，４−ビシクロ［２．２．２］オクチレン、ピペリジン−１，４−ジイル、ナフタレン−２，６−ジイル、デカヒドロナフタレン−２，６−ジイルおよび１，２，３，４−テトラヒドロナフタレン−２，６−ジイルからなる群からの基、であり、上記基ａ）およびｂ）は、１個または２個以上のフッ素原子により置換されていてもよく、そして  Ｚ3は、−ＣＯ−Ｏ−、−Ｏ−ＣＯ−、−ＣＨ2Ｏ−、−ＯＣＨ2−、−ＣＨ2ＣＨ2−、−ＣＨ＝ＣＨ−、−Ｃ≡Ｃ−または単結合であり、あるいは−（ＣＨ2）4−または−ＣＨ＝ＣＨ−ＣＨ2ＣＨ2−であることができる。    【化９】2000096059.tif 000006
式中、Ｒ41、Ｒ42、Ａ41、Ａ42、Ａ43、Ｚ41およびＺ42はそれぞれ相互に独立して、式ＩＩＩにおけるＲ31、Ｒ32、Ａ31、Ａ32およびＺ3 にかかわる上記定義のとおりである。    【化１０】2000096059.tif 000007
式中、Ｒ51、Ｒ52、Ａ51、Ａ52、Ａ53、Ａ54、Ｚ51、Ｚ52およびＺ53はそれぞれ相互に独立して、式ＩＩＩにおけるＲ31、Ｒ32、Ａ31、Ａ32およびＺ3 にかかわる上記定義のとおりである。    【化１１】2000096059.tif 000008
式中、  Ｒ6は、炭素原子１〜７個を有するアルキルであり、  Ｘは、Ｆ、ＣｌまたはＯＣＦ3であり、そして  Ｙ61およびＹ62は、相互に独立して、ＨまたはＦである。    【化１２】2000096059.tif 000009
式中、  Ｒ7は、炭素原子２〜７個を有するｎ−アルキルまたは炭素原子２〜７個を有するアルケニルであり、  Ｘ7は、ＣＮ、Ｆ、Ｃｌ、−ＣＦ3、−ＣＦ2Ｃｌ、−ＣＦＨＣｌ、−ＣＦ2Ｈ、−ＯＣＦ3、−ＯＣＦ2Ｃｌ、−ＯＣＦＨＣｌまたは−ＯＣＨＦ2であり、  l は、０または１であり、そして  Ｙ71およびＹ72はそれぞれ相互に独立して、ＨまたはＦであり、そして  Ａ71、Ａ72、Ｚ71およびＺ72はそれぞれ相互に独立して、式ＩＩＩにおける、Ａ31、Ａ32、Ｚ31およびＺ32にかかわる上記定義のとおりである。【手続補正５】
【補正対象書類名】明細書
【補正対象項目名】請求項１１
【補正方法】変更
【補正の内容】
【請求項１１】  請求項１〜８のいずれか一項に記載の液晶媒体の電気光学ディスプレイまたは電気光学表示素子における使用。【手続補正６】
【補正対象書類名】明細書
【補正対象項目名】０００５
【補正方法】変更
【補正の内容】
【０００５】  さらに、液晶材料は、できるだけ低い回転粘度および流動粘度を有していなければならない。低い回転粘度γ1 は、特に短い応答時間に好ましい。これに対して、低い流動粘度μ20は、ＴＮ液晶ディスプレイの充填を簡単にする。  ＴＮ液晶ディスプレイは、例えばバッテリイにより得ることができる低い動作電圧ＶOPで動作させることができることから、液晶材料は、できるだけ低いしきい値電圧（Ｖ(10,0,20) ［これはまた、Ｖ10（０゜，２０℃）としても知られている］）を有するべきである。しきい値電圧Ｖ(10,0,20) にかかわる３種の指数は、相対コントラスト（この場合、１０％）、視野角（この場合、φ＝０度においてθ＝０度）および温度（この場合、２０℃）に関するものである。液晶混合物のしきい値電圧Ｖ(10,0,20) は、誘電異方性△εの大きさにより本質的に影響される。すなわち、混合物の誘電異方性が大きいほど、しきい値電圧は低くなる。一例として、正の誘電異方性△εを有する混合物は、一般用用途に使用される。これらの混合物は好ましくは、１．５〜３９の誘電異方性値△εを有する。
【手続補正７】
【補正対象書類名】明細書
【補正対象項目名】００４５
【補正方法】変更
【補正の内容】
【００４５】  各式中、  Ｒ7は、炭素原子２〜７個を有するｎ−アルキルまたは炭素原子２〜７個を有するアルケニルであり、  Ｘ7は、ＦまたはＣＮであり、そして  Ｙ71は、ＨまたはＦである。  式ＶＩＩａにおいて、Ｘ7＝ＣＮである化合物は、好ましい化合物として挙げられる。  混合物中の式Ｉで表わされる化合物の濃度は、全体として、１０〜５０％、好ましくは２０〜４０％、特に好ましくは２５〜３５％である。
【手続補正８】
【補正対象書類名】明細書
【補正対象項目名】００５３
【補正方法】変更
【補正の内容】
【００５３】
【化２８】
2000096059.tif 000010
式中、パラメーターは、式ＶＩＩにかかわる上記定義のとおりであり、好ましくは、  Ｒ7は、炭素原子２〜７個を有するｎ−アルキルまたは炭素原子２〜７個を有するアルケニルであり、  Ｘ7は、ＣＮ、Ｆ、−ＯＣＦ3または−ＯＣＨＦ2であり、  l は、０または１であり、そして
【手続補正９】
【補正対象書類名】明細書
【補正対象項目名】００５４
【補正方法】変更
【補正の内容】
【００５４】  Ｙ71およびＹ72はそれぞれ相互に独立して、ＨまたはＦであり、そして  Ａ71、Ａ72、Ｚ71およびＺ72はそれぞれ相互に独立して、式ＩＩＩにおける、Ａ31、Ａ32、Ｚ31およびＺ32にかかわる上記定義のとおりであり、そして好ましくは、  Ｚ71は、−ＣＯＯ−、−ＣＨ2ＣＨ2−または単結合であり、そして  Ｚ72は、−ＣＨ2ＣＨ2−、−ＣＯＯ−、−Ｃ≡Ｃ−または単結合である、  ただし、式ＶＩＩで表わされる化合物は、式Ｉ、式ＩＩおよび式ＶＩで表わされる化合物とは相違している。  下記式ＶＩ、式ＶＩＩａ〜ＶＩＩｃおよび式ＶＩＩｄ〜ＶＩＩｊで表わされる化合物からなる群から選択される化合物は好適化合物として挙げられる：
【手続補正１０】
【補正対象書類名】明細書
【補正対象項目名】００６０
【補正方法】変更
【補正の内容】
【００６０】  式Ｉａおよび式ＩＩｂから選択される１種または２種以上の化合物以外に、好適混合物は、式ＶＩＩａ、式ＶＩＩｅ、式ＶＩＩｆおよび式ＶＩから選択される１種、２種、３種または４種以上の化合物を含有する。これらの混合物は好ましくは、式Ｉａで表わされる化合物および式ＩＩｂで表わされる化合物の群から選択される２〜４種の化合物、式ＶＩＩａおよび式ＶＩＩｆにおいて、基Ｙ71またはＹ72の一方がＦであり、そしてこれらの基の他方がＨである化合物からなる群から選択される１種または２種以上の化合物、および式ＶＩにおいて、基Ｙ61およびＹ62の一方がＦであり、そしてこれらの基の他方がＨである化合物からなる群から選択される１〜４種の化合物を含有する。  本明細書中に、式ＩＩＩ、式ＩＶ、式Ｖ、式ＶＩおよび式ＶＩＩに相当する付属式で表わされている好適化合物において、基Ｒ31、Ｒ32、Ｒ41、Ｒ42、Ｒ51、Ｒ52、Ｒ6およびＲ7は、別段の記載がないかぎり、好ましくは直鎖状アルキル、アルケニルまたはアルコキシ、特に炭素原子１〜１２個を有するアルキルまたは炭素原子２〜７個を有する１Ｅ−アルケニル、特にそれぞれ炭素原子１〜７個および炭素原子２〜７個を有する基である。s
【手続補正１１】
【補正対象書類名】明細書
【補正対象項目名】００６１
【補正方法】変更
【補正の内容】
【００６１】  本発明による液晶混合物は、好ましくは式ＩＩＩ〜Ｖで表わされる化合物からなる群から選択される１種または２種以上の化合物を含有する。  式ＩＩＩ〜Ｖで表わされる化合物は、主として誘電的に中性（−１．５≦△ε≦＋１．５）である。これらの化合物は、特にそれらの回転粘度γ1 にかかわる数値が小さい点で際立っている。  好適液晶混合物は、式ＩＩＩ〜Ｖで表わされる化合物からなる群から選択される１種または２種以上の化合物を、好ましくは１０〜５０重量％の量で含有する。  本発明による液晶混合物は、好ましくは式ＩＩＩａ、式ＩＩＩｂおよび式ＩＩＩｄ〜ＩＩＩｊで表わされる化合物からなる群から選択される１種または２種以上の化合物を含有する：
【手続補正１２】
【補正対象書類名】明細書
【補正対象項目名】００６３
【補正方法】変更
【補正の内容】
【００６３】  各式中、Ｒ31およびＲ32はそれぞれ相互に独立して、式ＩＩＩにかかわり上記定義のとおりである。  本発明による液晶混合物は、特に好ましくは式ＩＶａ、式ＩＶｂおよび式ＩＶｃ〜ＩＶｏで表わされる化合物からなる群から選択される１種または２種以上の化合物をさらに含有する：
【手続補正１３】
【補正対象書類名】明細書
【補正対象項目名】００６６
【補正方法】変更
【補正の内容】
【００６６】  各式中、Ｒ41およびＲ42はそれぞれ、式ＩＶにかかわる上記定義のとおりである。式ＩＶｃ〜ＩＶｊ、式ＩＶｎおよび式ＩＶｏで表わされる化合物中に存在する１，４−フェニレン基はそれぞれ相互に独立して、置換基として１個または２個以上のフッ素を有することができる。  本発明による液晶混合物は、特に好ましくは式Ｖａ、式Ｖｂおよび下記式Ｖｃ〜Ｖｇで表わされる化合物からなる群から選択される１種または２種以上の化合物をさらに含有する：
【手続補正１４】
【補正対象書類名】明細書
【補正対象項目名】００６９
【補正方法】変更
【補正の内容】
【００６９】  式Ｖａおよび式Ｖｇにおいて、ＬがＦである化合物は、好適化合物として挙げられる。  特に好適な態様において、本発明による混合物は、式ＩＩＩｂ、式ＩＶｂおよび式Ｖｂで表わされる化合物からなる群から選択される１種または２種以上の化合物を含有する。  さらに特に好適な態様において、例えば本発明による液晶ディスプレイを、光透過率の第二次または第三次以上の極小値で動作させる場合、本発明による混合物は、液晶トラン化合物を、約５〜５０重量％、好ましくは５〜３５重量％、特に５〜２５重量％の量で含有する。これにより、使用される層厚さは薄くすることができ、そして応答時間を相当に短縮することができる。これらの液晶混合物中に存在させるトラン化合物は、好ましくは下記式ＩＩＩk、式ＶＩＩｏ、式ＩＶｐおよび式ＩＶｑで表わされる化合物からなる群から選択する：
【手続補正１５】
【補正対象書類名】明細書
【補正対象項目名】００７１
【補正方法】変更
【補正の内容】
【００７１】  各式中、Ｒ31、Ｒ32、Ｒ41、Ｒ42およびＲ7 はそれぞれ相互に独立して、式ＩＩＩ、式ＩＶおよび式ＶＩＩにかかわる上記定義のとおりであり、ｂは０または１であり、Ｘ7はＦ、ＣｌまたはＯＣＦ3であり、Ｚ41は−ＣＨ2ＣＨ2−、−ＣＯＯ−または単結合、特に単結合であり、そしてＬC〜Ｌh、Ｌ5およびＬ6はそれぞれ相互に独立して、ＨまたはＦであるが、３つの置換基対ＬCとＬdまたはＬeとＬfまたはＬgとＬhのいずれにおいても、各対の両方の置換基は同時に、Ｆではない。  もう一つの好適態様において、本発明による混合物は、好ましくは１種または２種以上の誘電的に負である化合物（△ε＜−１．５）を、約５〜２０重量％の量で含有する。  これらの化合物は好ましくは、例えばＤＥ−Ａ−３８０７８０１、同３８０７８６１、同３８０７８６３、同３８０７８６４または同３８０７９０８に記載されているような構造要素、２，３−ジフルオロ−１，４−フェニレンを含有する。国際特許出願ＰＣＴ／ＤＥ８８／００１３３に記載されている、この構造要素を含有するトラン化合物、特に下記式ＩＩＩmおよび式ＩＶｒで表わされる化合物は、好適化合物として挙げられる：
【手続補正１６】
【補正対象書類名】明細書
【補正対象項目名】００７５
【補正方法】変更
【補正の内容】
【００７５】  −式ＶＩＩｋにおいて、Ｘ7がＯＣＦ3またはＯＣＨＦ2であり、そしてＹ71およびＹ72がそれぞれ相互に独立して、ＨまたはＦである化合物、式ＶＩＩｄにおいて、Ｙ71、Ｙ72およびＬ5 がそれぞれ相互に独立して、ＨまたはＦである、特にＬ5がＨであり、そしてＹ71およびＹ72がそれぞれ相互に独立して、ＨまたはＦである化合物、および式ＶＩＩｍにおいて、Ｘ7およびＹ71がＦであり、そしてＹ72がＨまたはＦであるか、あるいはＸ7がＯＣＦ3であり、そしてＹ71およびＹ72がそれぞれ相互に独立して、ＨまたはＦである化合物から選択される１種または２種以上、特に１種、２種、３種または４種の化合物。これらの化合物中に存在する基Ｒ7は式ＶＩＩにかかわる上記定義のとおりであり、そして好ましくは、特に炭素原子２個、３個、４個または５個を有する直鎖状アルキル、あるいは直鎖状アルケニル、特にビニルまたは炭素原子３個、４個または５個を有する１Ｅ−アルケニルである。式ＶＩＩｋで表わされる化合物と式ＩＩｂで表わされる化合物とは相違している。これらの化合物の含有量は、全体として、混合物に基づき、好ましくは０〜３０重量％、特に５〜２５重量％である；  −下記式で表わされる化合物から選択される１種または２種以上の化合物：
【手続補正１７】
【補正対象書類名】明細書
【補正対象項目名】００７９
【補正方法】変更
【補正の内容】
【００７９】  各式中、Ｒ51およびＲ52はそれぞれ相互に独立して、炭素原子１〜１２個、好ましくは炭素原子１〜７個を有する直鎖状アルキルまたはアルコキシであり、そしてＬ51は、ＨまたはＦ、好ましくはＦである。これらの化合物の含有量は、全体として、混合物に基づき、好ましくは０〜４５重量％、特に４〜３０重量％である；  −式ＶＩＩｏ、式ＩＩＩｋ、式ＩＶｐおよび式ＩＶｑで表わされる化合物から選択される１種または２種以上の化合物、特に式ＩＩＩｋにおいて、ＬC〜ＬfがＨである化合物、および式ＩＶｐにおいて、ＬC〜ＬfがＨであり、そしてＺ41が単結合である化合物から選択される１種または２種以上の化合物。これらの化合物の含有量は、全体として、混合物に基づき、好ましくは０〜２５重量％、特に１〜１５重量％である；
【手続補正１８】
【補正対象書類名】図面
【補正対象項目名】全図
【補正方法】変更
【補正の内容】
【図１】
2000096059.tif 000011
【図２】
2000096059.tif 000012
【図３】
2000096059.tif 000013